(57)【要約】【課題】机同士を互いに左右に近接させて配置した際に形成される天板間の隙間を塞ぐことができるとともに、天板を取り外すことなく積み重ねができるようにした机を提供する。【解決手段】天板７の左右いずれか一方の側端部に、補助天板１１の一側部を、天板７の側端よりも内方において垂下する不使用位置から、上面が天板７の上面とほぼ同一面をなす使用位置まで、上下方向に回動し得るように枢着し、使用位置とした補助天板１１の他側部を、脚体下部の対向面が互いに当接または近接するように、左右に隣接して配置された別の机１における天板７の側端部に、着脱可能に連結させて支持するようにする。【選択図】図１０
2010240207.tif 000002
【特許請求の範囲】
【請求項１】
天板を支持する、該天板の下方が解放された脚体の少なくとも下部を、前記天板の周端よりも外方に位置させることにより、複数積み重ね可能とした机において、
前記天板または脚体上部の左右いずれか一方の側端部に、補助天板の一側部を、前記天板の側端よりも内方において垂下する不使用位置から、上面が前記天板の上面とほぼ同一面をなす使用位置まで、上下方向に回動し得るように枢着し、前記使用位置とした補助天板の他側部を、脚体下部の対向面が互いに当接または近接するように、左右に隣接して配置された別の机における天板または脚体上部の側端部に、着脱可能に連結させて支持するようにしたことを特徴とする机。
【請求項２】
補助天板の一側部に、前後方向を向く軸状の側杆を有する支持部材を、前記側杆が外方に突出するようにして取り付け、前記側杆を、天板の側端部下面に設けた前後方向を向く空間部内に、回動自在に嵌合したことを特徴とする請求項１に記載の机。
【請求項３】
天板の側端部下面に設けた空間部の左右幅を、側杆が内側方に移動しうるように大としたことを特徴とする請求項２に記載の机。
【請求項４】
支持部材を、軸状の左右１対の側杆を有する矩形枠状をなすものとして、補助天板の裏面に固定し、一方の側杆を天板の空間部内に遊嵌し、かつ他方の側杆を、補助天板を使用位置としたとき、互いに隣接して配置された別の机における天板の側端部に設けた係止溝に、外側方から着脱可能に嵌合して支持されるようにしたことを特徴とする請求項２または３に記載の机。
【発明の詳細な説明】
【技術分野】
【０００１】
本発明は、学校や講堂、会議室等において使用される積み重ね可能な机（テーブルも含む）に関する。
【背景技術】
【０００２】
学校や講堂、会議室等において使用される積み重ね可能な机としては、例えば、特許文献１〜３に記載されているものがある。
【先行技術文献】
【特許文献】
【０００３】
【特許文献１】実開昭４９−１０１９０５号公報
【特許文献２】実開昭５５−３００６５号公報
【特許文献３】特開２００４−３２１６５８号公報
【発明の概要】
【発明が解決しようとする課題】
【０００４】
複数の机を不使用時に積み重ねておけるようにするためには、前記特許文献１及び２に記載されている机のように、前後または左右に対向する脚杆を、天板の周端よりも外方、すなわち、脚体よりも天板の大きさを小さくする必要があるが、このようにすると、学校等において、複数の机を、脚体同士を互いに当接または近接させて左右方向に並べて配置する際に、互いに隣接する机の天板間に隙間が形成され、この隙間より文房具等が落下してしまうという問題が生じる。
【０００５】
前記特許文献３に記載の机においては、脚体と天板の左右寸法がほぼ等しいので、前述のような問題の発生する恐れは小さい。しかし、天板を取り外して、脚体のみを積み重ねる構成であるので、天板を脚体より着脱する作業が面倒である。
【０００６】
本発明は、このような問題点に着目してなされたもので、机同士を互いに左右に近接させて配置した際に形成される天板間の隙間を塞ぐことができるとともに、天板を取り外すことなく積み重ねができるようにした机を提供することを目的としている。
【課題を解決するための手段】
【０００７】
前記課題を解決するために、本発明の机は、
天板を支持する、該天板の下方が解放された脚体の少なくとも下部を、前記天板の周端よりも外方に位置させることにより、複数積み重ね可能とした机において、
前記天板または脚体上部の左右いずれか一方の側端部に、補助天板の一側部を、前記天板の側端よりも内方において垂下する不使用位置から、上面が前記天板の上面とほぼ同一面をなす使用位置まで、上下方向に回動し得るように枢着し、前記使用位置とした補助天板の他側部を、脚体下部の対向面が互いに当接または近接するように、左右に隣接して配置された別の机における天板または脚体上部の側端部に、着脱可能に連結させて支持するようにしたことを特徴としている。
この特徴によれば、積み重ね可能な机同士を、脚体を当接または近接させて配置し、天板間に隙間が形成されても、この隙間は、一方の机に一側部を枢着した補助天板を使用位置に上向きに回動させて、その他側部を他方の机の側端部に連結することにより、塞ぐことができる。従って、天板上の物品が隙間より落下するのが防止される。また、補助天板は、不使用位置において天板の側端よりも内方で垂下しているので、机を積み重ねる際に、上位の机の脚体が、下位の机の補助天板と干渉する恐れがなく、従って、天板や補助天板を取り外すことなく積み重ねることができる。
【０００８】
本発明の机は、
補助天板の一側部に、前後方向を向く軸状の側杆を有する支持部材を、前記側杆が外方に突出するようにして取り付け、前記側杆を、天板の側端部下面に設けた前後方向を向く空間部内に、回動自在に嵌合したことを特徴としている。
この特徴によれば、補助天板の一側部を、ヒンジ等を使用することなく、天板の側端部に回動可能に簡単に枢着することができる。また、補助天板は、天板の側端部を中心として最小限の回動半径で回動させて、天板間の隙間を容易に塞ぐことができる。
【０００９】
本発明の机は、
天板の側端部下面に設けた空間部の左右幅を、側杆が内側方に移動しうるように大としたことを特徴としている。
この特徴によれば、補助天板を、天板の側端よりも内方において垂下する位置まで、容易に移動させることができる。
【００１０】
本発明の机は、
支持部材を、軸状の左右１対の側杆を有する矩形枠状をなすものとして、補助天板の裏面に固定し、一方の側杆を天板の空間部内に嵌合し、かつ他方の側杆を、補助天板を使用位置としたとき、互いに隣接して配置された別の机における天板の側端部に設けた係止溝に、外側方から着脱可能に嵌合して支持されるようにしたことを特徴としている。
この特徴によれば、補助天板に、隣接する机の天板により支持される左右の側杆を、容易に設けることができるとともに、他方の側杆を、隣接する別の机における天板の係止溝に簡単に係止することができる。また、矩形枠状をなす支持部材が、互いに隣接する机を連結する連結部材としても機能するので、机同士が左右方向に離間したり、前後方向に位置ずれしたりするのが防止され、整然と配置することができる。
【図面の簡単な説明】
【００１１】
【図１】本発明の机を後方より見た斜視図である。
【図２】同じく、後面図である。
【図３】同じく、図２の右側面図である。
【図４】同じく、平面図である。
【図５】図３のV-V線に沿う拡大縦断後面図である。
【図６】机を積み重ねた状態の後方斜視図である。
【図７】図５の上部の拡大図である。
【図８】補助天板取付部の一部切欠き後方斜視図である。
【図９】補助天板の底面図である。
【図１０】補助天板の使用例を示す後方斜視図である。
【図１１】図１０のXI-XI線に沿う拡大縦断後面図である。
【発明を実施するための形態】
【００１２】
本発明に係る机を実施するための形態を実施例に基づいて以下に説明する。
【実施例】
【００１３】
実施例に係る机につき、図１から図１１を参照して説明する。図１は、本発明を、学校等で使用される学習用机に適用した後方斜視図、図２は、机の後面図、図３は、同じく右側面図、図４は、同じく平面図、図５は、図３のV-V線に沿う縦断後面図である。尚、以下の説明において、図３及び図４の右方を、机の前とする。
【００１４】
机１の脚体２は、平面視前向きコ字状のパイプよりなるベース脚３と、その左右の側部脚杆３ａ、３ａの前端に下端が連結された正面及び後面視下向きコ字状のパイプよりなる前脚４と、ベース脚３における左右方向を向く後部脚杆３ｂの両側端部の上面に下端が結合された左右１対のパイプ製の後脚５、５とを備え、両後脚５の上端に連設された前向水平杆６の前端は、図５に示すように、前脚４の上端の左右方向を向く横杆４ａの両側部後面に結合されている。
【００１５】
図２に示すように、前脚４における上下方向を向く左右の縦杆４ｂ、４ｂの離間寸法は、後脚５の離間寸法よりも大とされている。また、図３に示すように、両縦杆４ｂは、側面視において若干斜め後ろ上方に傾斜させてある。
【００１６】
前脚４の横杆４ａと左右の前向水平杆６、６の上面には、天板７が取り付けられている。図５に示すように、左右の前向水平杆６、６の下面には、前方に開口する物品収納棚８の上端の外向片８ａ、８ａが、天板７の下面により挟持されるようにして取り付けられている。９は、天板７の後端部下面に上端部が固定された幕板、１０は、物品収容棚８の両側面に固着された物品吊支用のフックである。
【００１７】
天板７の前後左右寸法は、図４に示すように、脚体２の最大寸法、すなわち、ベース脚３の前後左右方向の最大寸法よりも小とされている。天板７をこのような寸法とし、かつ前脚４の左右の縦杆４ｂ、４ｂの離間寸法を、後脚５の離間寸法よりも大とすると、図６に示すように、下位の机１の脚体２に上位の机１の天板７を干渉させることなく、複数の机１を積み重ねることが可能となる。
【００１８】
天板７の一側部には、補助天板１１が、次のように上下に回動可能に取り付けられている。図１及び図７〜図９に示すように、補助天板１１の前後寸法と厚さは、天板７のそれとほぼ等しく、かつ水平の使用状態での左右寸法は、左右に隣接して配置される机１の天板７間の隙間よりも僅かに小さい寸法とされている。
【００１９】
補助天板１１の裏面には、前後寸法が補助天板１１の前後寸法よりも小さく、左右寸法が補助天板の左右寸法より大きい矩形枠状のワイヤー材よりなる支持部材１２が、その前後の横杆１２ａ、１２ａに内向きに固着された前後１対の取付板１３、１３を、ねじ１４により固定することにより、左右の軸状側杆１２ｂ、１２ｂが両側方に突出するようにして取り付けられている。
【００２０】
机１の天板７の一方の側端部(後面視において右側端部)の中央部には、下方と外側方に開口する切欠凹部１５が形成されている。この切欠凹部１５の下方と外方の開口面は、前記前後の横杆１２ａが挿通可能な隙間を残して、物品収納棚８の外向片８ａとその側端に連続する上向片８ｂにより閉塞されている。
【００２１】
補助天板１１を取り付けるには、まず、天板７を脚体２に取り付ける前において、支持部材１２の一方の側杆１２ｂを前記外向片８ａの上面に載置する。
【００２２】
次いで、天板７を、その切欠凹部１５の下面が上向片８ｂの上端に当接または近接するように、脚体２に取り付ける。すると、天板７の側端部下面には、前後方向を向く空間部Ｓが形成され、この空間部Ｓ内に枢支された側杆１２ｂが外方に離脱するのが防止される。これにより、補助天板１１は、天板７の側端部において垂下する不使用位置から、水平の使用位置まで上下方向に回動し得るように取り付けられている。
【００２３】
尚、空間部Ｓは、不使用位置において補助天板１１を内側方に移動させうるように、左右方向に長くしてあり、このようにすることにより、補助天板１１を天板７の側端よりも内方に位置させることができ、机１を積み重ねる際に、上位の机の脚体が、下位の机の補助天板１１と干渉しないようにすることができる。
【００２４】
図７に示すように、天板７の他方の側端部の中央部には、上下寸法が前記切欠凹部１５よりも大きな、下方と外側方に開口する切欠凹部１６が形成され、この切欠凹部１６の下方の開口面は、物品収納棚８における他方の外向片８ａにより閉塞され、また、切欠凹部１６の外方の開口面は、他方の上向片８ｂにより、その上端と切欠凹部１６の下面との間に隙間Ｃが形成されるようにして閉塞されている。尚、前記隙間Ｃの上下寸法は、支持部材１２における他方の側杆１２ｂが挿脱可能な寸法とされている。これにより、天板７の他方の側端部下面には、別の机における支持部材１２の側杆１２ｂが係止（連結）されて支持される係止溝１７が形成されている。
【００２５】
次に、補助天板１１の使用例について説明する。図１０に示すように、天板７を脚体２の左右方向の最大寸法よりも小とした同形の机１、１を、脚体２のベース脚３、３同士を当接または近接するように、左右方向に並べて配置すると、天板７、７の対向面間に隙間が形成されるが、この隙間を、前記補助天板１１により次のようにして塞ぐことができる。
【００２６】
図１０及び図１１の拡大断面図に示すように、左方の机１の側端部に取り付けた補助天板１１を、ほぼ水平をなす使用位置まで上向きに回動させた後、支持部材１２における図中右方の側杆１２ｂを、右方の机１の天板７の左端部に形成された隙間Ｃより、係止溝１７内に挿入する。これにより、右方の側杆１２ｂは、外向片８ａにより支持されるとともに、上向片８ｂにより外方に離脱するのが防止され、補助天板１１は、左右の天板７間において水平の使用位置に保持される。その結果、左右の天板７間に形成された隙間が、補助天板１１により塞がれ、天板７上の物品が隙間から落下するのが防止される。
【００２７】
補助天板１１は、不使用位置において天板７の側端よりも内方に移動させることができるので、複数の机１を積み重ねる際に、上位の机１の脚体２が、下位の机１の補助天板１１と干渉することがない。従って、天板７や補助天板１１を取り外すことなく、積み重ねることができる。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば、前記実施例では、補助天板１１の一方の側杆１２ｂを回動自在に支持する空間部Ｓと、他方の側杆１２ｂが係止される係止溝１７とを、物品収納棚８の外向片８ａと上向片８ｂを利用して形成しているが、それらを、天板７に直接形成することもできる。
【００３０】
また、前記実施例では、補助天板１１の回動半径を最小限とするために、その一側端部を、天板７の側端部に枢着したが、脚体２上部の側端部、例えば、前脚４と後脚５との上端部の対向面に、上下方向に回動自在に枢着することも可能である。
【００３１】
尚、補助天板１１の側端部を、隣接する別の机１の係止溝１７に係止させる手段は、側杆１２ｂに代えて、下向き鉤状のフック等でもよい。
【符号の説明】
【００３２】
１                机
２                脚体
３                ベース脚
３ａ              側部脚杆
３ｂ              後部脚杆
４                前脚
４ａ              横杆
４ｂ              縦杆
５                後脚
６                前向水平杆
７                天板
８                物品収納棚
８ａ              外向片
８ｂ              上向片
９                幕板
１０              フック
１１              補助天板
１２              支持部材
１２ａ            横杆
１２ｂ            側杆
１３              取付板
１４              ねじ
１５              切欠凹部
１６              切欠凹部
１７              係止溝
Ｃ                隙間
Ｓ                空間部
【図１】
2010240207.tif 000003
【図２】
2010240207.tif 000004
【図３】
2010240207.tif 000005
【図４】
2010240207.tif 000006
【図５】
2010240207.tif 000007
【図６】
2010240207.tif 000008
【図７】
2010240207.tif 000009
【図８】
2010240207.tif 000010
【図９】
2010240207.tif 000011
【図１０】
2010240207.tif 000012
【図１１】
2010240207.tif 000013